【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
最大厚みが１．１ｍｍ以上のゴム弾性を有する非発泡のゴムからなる立体模様の底面に粘着剤層が設けられていることを特徴とする物品貼付用装飾シール。
【請求項２】
立体模様が、立体模様の底面から厚み１．１ｍｍまでの側面と底面の角度が７０度以上である側面を有する請求項１記載の物品貼付用装飾シール。
【請求項３】
物品が携帯機器である請求項１又は２に記載の物品貼付用装飾シール。
【請求項４】
液状のゴムをキャスト成形型枠に入れて加熱し硬化させてゴム弾性を有する非発泡のゴムからなる立体模様を成形し、粘着剤層が積層されている剥離フィルムの粘着剤層の表面に、該立体模様の底面を密着させることを特徴とする物品貼付用装飾シールの製造方法。
【手続補正２】
【補正対象書類名】明細書
【補正対象項目名】発明の名称
【補正方法】変更
【補正の内容】
【発明の名称】物品貼付用装飾シール及びその製造方法
【手続補正３】
【補正対象書類名】明細書
【補正対象項目名】０００１
【補正方法】変更
【補正の内容】
【０００１】
本発明は、人の爪や、爪以外の他の物品のファッション性を高めるために、人の爪や、爪以外の他の物品に装飾を簡便に施すために使用することができる物品貼付用装飾シール及びその製造方法に関する。
【手続補正４】
【補正対象書類名】明細書
【補正対象項目名】０００５
【補正方法】変更
【補正の内容】
【０００５】
本発明は、人の爪や、爪以外の他の物品に、意匠性が優れ、衝撃にも強い立体模様を、簡便に施すことができる物品貼付用装飾シール及びその製造方法を提供することを目的とする。
【手続補正５】
【補正対象書類名】明細書
【補正対象項目名】０００６
【補正方法】変更
【補正の内容】
【０００６】
本発明者は、上記課題を解決するために鋭意検討した結果、液状のゴムをキャスト成形型枠に入れて加熱し硬化させてゴム弾性を有する非発泡のゴムからなる立体模様を成形し、粘着剤層が積層されている剥離フィルムの粘着剤層の表面に、該立体模様の底面を密着させることにより、最大厚みが１．１ｍｍ以上のゴム弾性を有する非発泡のゴムからなる立体模様の底面に粘着剤層が設けられている物品貼付用装飾シールを形成できることを見出し、本発明を完成するに至った。
【手続補正６】
【補正対象書類名】明細書
【補正対象項目名】０００７
【補正方法】変更
【補正の内容】
【０００７】
すなわち、本発明は、最大厚みが１．１ｍｍ以上のゴム弾性を有する非発泡のゴムからなる立体模様の底面に粘着剤層が設けられていることを特徴とする物品貼付用装飾シールを提供するものである。  
また、本発明は、上記物品貼付用装飾シールにおいて、立体模様が、立体模様の底面から厚み１．１ｍｍまでの側面と底面の角度が７０度以上である側面を有する物品貼付用装飾シールを提供するものである。
【手続補正７】
【補正対象書類名】明細書
【補正対象項目名】０００８
【補正方法】変更
【補正の内容】
【０００８】
また、本発明は、上記物品貼付用装飾シールにおいて、物品が携帯機器である物品貼付用装飾シールを提供するものである。
本発明は、液状のゴムをキャスト成形型枠に入れて加熱し硬化させてゴム弾性を有する非発泡のゴムからなる立体模様を成形し、粘着剤層が積層されている剥離フィルムの粘着剤層の表面に、該立体模様の底面を密着させることを特徴とする物品貼付用装飾シールの製造方法を提供するものである。
【手続補正８】
【補正対象書類名】明細書
【補正対象項目名】０００９
【補正方法】変更
【補正の内容】
【０００９】
本発明の物品貼付用装飾シールは、人の爪や、爪以外の他の物品に、意匠性が優れ、衝撃にも強い立体模様を、簡便に施すことができる。
【手続補正９】
【補正対象書類名】明細書
【補正対象項目名】００１０
【補正方法】変更
【補正の内容】
【００１０】
本発明の物品貼付用装飾シールは、最大厚みが１．１ｍｍ以上のゴム弾性を有する非発泡のゴムからなる立体模様が形成されている。
立体模様の最大厚みは、１．１ｍｍ以上であればよいが、１．３ｍｍ以上が好ましく、１．５ｍｍ以上がより好ましく、１．８ｍｍ以上がさらに好ましい。立体模様の最大厚みの上限は特に制限ないが、通常５ｍｍ以下が好ましく、３ｍｍ以下がより好ましく、２．８ｍｍ以下がさらに好ましく、２．５ｍｍ以下が特に好ましい。
立体模様は、厚みが１．１ｍｍ以上である部分の幅方向の面積が、幅方向の最大外周で囲まれる面積の６０％以上であることが好ましく、より好ましくは７０％以上であり、さらに好ましくは８０％以上であり、特に好ましくは９０％以上である。このように、立体模様が厚いと重量感が出て、見た目に豪華な感じを与えることができる。
【手続補正１０】
【補正対象書類名】明細書
【補正対象項目名】００１１
【補正方法】変更
【補正の内容】
【００１１】
また、本発明の物品貼付用装飾シールにおいては、立体模様の側面は、立体模様の厚みが１．１ｍｍ以上の部分の側面における底面から厚み１．１ｍｍまでの側面と底面の角度が７０度以上であることが好ましく、７５度以上であることがより好ましく、８０度以上であることがさらに好ましく、８５度以上であることが特に好ましい。このようにすることにより、底面から急激に盛り上った立体模様にすることができ、見た目に豪華な感じを与えることができ、意匠性に優れたものにできる。その側面は、平面であっても良いし、曲面であっても良い。曲面は、曲率が一定のものであってもよいし、曲率が変動するものであってもよい。
【手続補正１１】
【補正対象書類名】明細書
【補正対象項目名】００１７
【補正方法】変更
【補正の内容】
【００１７】
立体模様は、非発泡のゴムから構成されるので、透明にすることができる。立体模様を透明にすると、純粋なイメージを醸し出すことができ、意匠性に優れたものにできる。
さらに、本発明の物品貼付用装飾シールにおいては、透明な立体模様の表面を、面角度の異なる平面を複数設けたカット面にすることにより、宝石のようなキラキラ輝く状態にすることができる。これにより、意匠性が極めて優れたものにすることができる。立体模様の表面に設ける面角度の異なる平面の数は、２以上の複数であればよいが、好ましくは４個以上であり、より好ましくは６個以上であり、更に好ましくは８個以上であり、特に好ましくは１０個以上である。面角度の異なる平面の数の上限は、特に制限ないが、通常は５０個以下が好ましい。
【手続補正１２】
【補正対象書類名】明細書
【補正対象項目名】００１８
【補正方法】変更
【補正の内容】
【００１８】
面角度の異なる平面の形状は、特に制限ないが、三角形、四角形、五角形、六角形、七角形、八角形などの多角形が好ましい。面角度の異なる隣同士の平面が挟む角度は、１８０度未満であればよいが、１７０度以下が好ましく、１５０度以下がより好ましく、１３０度以下が更に好ましい。面角度の異なる隣同士の平面が挟む角度の下限は、特に制限ないが、６０度以上が好ましく、８０度以上がより好ましく、９０度以上が更に好ましく、１００度以上が特に好ましい。
非発泡のゴムからなる立体模様は、その反撥弾性が２０〜９０％であることが好ましい。
また、非発泡のゴムからなる立体模様は、硬さが２０〜１００であることが好ましい。これらの反発弾性及び硬さにすることにより、衝撃に強く、剥がれ難い物品貼付用装飾シールにすることができる。
【手続補正１３】
【補正対象書類名】明細書
【補正対象項目名】００２２
【補正方法】変更
【補正の内容】
【００２２】
粘着剤層を着色し、立体模様を透明にすると、粘着剤層の色が透明な立体模様を通して、一層立体感を与えることができ、審美性を増すことができる。
本発明の物品貼付用装飾シールにおいては、接着剤層の表面に剥離フィルムが積層されていることが好ましい。剥離フィルムとしては、いずれのものを使用してもよく、例えば、ポリエチレンテレフタレート、ポリブチレンテレフタレート、ポリエチレン、ポリプロピレン、ポリアリレートなどの各種樹脂よりなるフィルムや、ポリエチレンラミネート紙、ポリプロピレンラミネート紙、クレーコート紙、樹脂コート紙、グラシン紙等の各種紙材を基材とし、この基材の表面に、必要により剥離処理が施されたものを用いることができる。剥離処理の代表例としては、シリコーン系樹脂、長鎖アルキル系樹脂、フッ素系樹脂等の剥離剤よりなる剥離剤層の形成が挙げられる。  剥離フィルムの厚みは、特に制限されず、適宜選定すればよい。
【手続補正１４】
【補正対象書類名】明細書
【補正対象項目名】００２３
【補正方法】変更
【補正の内容】
【００２３】
本発明の物品貼付用装飾シールは、種々の成形方法により製造することができるが、キャスト成形により製造することが好ましい。
物品貼付用装飾シールの製造方法の具体例としては、例えば、液状のゴムをキャスト成形型枠に入れて加熱し硬化させてゴム弾性を有する立体模様を成形し、粘着剤層が積層されている剥離フィルムの粘着剤層の表面に、該立体模様の底面を密着させる物品貼付用装飾シールの製造方法が挙げられる。キャスト成形型枠は、鉄などの金属製のものが好ましい。  型枠には、立体模様の形状に相当する穴が設けられている。この穴は、１個設けてもよいし、２個以上設けてもよい。作業効率から言えば、この穴は多い程好ましい。